(57)【要約】      （修正有）【課題】シート型マッサージ機を載置した状態でも、椅子としての掛け心地が損なわれない、シート型マッサージ機用椅子を提供する。【解決手段】正面側及び背面側に一対存するひじ掛け部材１２０と、ひじ掛け部材に固定された座板１１１にクッション材１１２を取り付けた座部１１０と、ひじ掛け部材に固定された背凭れ部材１３０と、背凭れ部材の前方に存し、ひじ掛け部材に対して揺動自在に取り付けられている第二背凭れ部材１４０と、第二背凭れ部材の下部に取り付けられた被押圧部材１５０と、座板に回転自在に取り付けられる棒体であって、被押圧部材を押圧自在な押圧体１６２とハンドル部１６３とを備えたハンドル部材とにより構成される。【選択図】図１
0003219224.tif 000002
【実用新案登録請求の範囲】
【請求項１】
正面側及び背面側に一対存するひじ掛け部材（１２０，１２０）と、
ひじ掛け部材（１２０）に固定された座板（１１１）にクッション材（１１２）を取り付けた座部（１１０）と、
ひじ掛け部材（１２０）に固定された背凭れ部材（１３０）と、
背凭れ部材（１３０）の前方に存し、ひじ掛け部材（１２０）に対して揺動自在に取り付けられている第二背凭れ部材（１４０）と、
第二背凭れ部材（１４０）の下部に取り付けられた被押圧部材（１５０）と、
座板（１１１）に回転自在に取り付けられる棒体であって、被押圧部材（１５０）を押圧自在な押圧体（１６２）とハンドル部（１６３）とを備えたハンドル部材（１６０）と、
により成るシート型マッサージ機用椅子（１００）。
【請求項２】
正面側及び背面側に一対存するひじ掛け部材（２２０，２２０）と、
ひじ掛け部材（２２０）に固定された座板（２１１）にクッション材（２１２）を取り付けた座部（２１０）と、
ひじ掛け部材（２２０）に対して揺動自在に取り付けられている背凭れ部材（２３０）と、
背凭れ部材（２３０）の下部に取り付けられた被押圧部材（１５０）と、
背凭れ部材（２３０）の前方に存し、ひじ掛け部材（２２０）に対して固定されている第二背凭れ部材（２４０）と、
座板（２１１）に回転自在に取り付けられる棒体であって、被押圧部材（１５０）を押圧自在な押圧体（１６２）とハンドル部（１６３）とを備えたハンドル部材と（１６０）、
により成るシート型マッサージ機用椅子（２００）。
【請求項３】
正面側及び背面側に一対存すると共に、前方の脚部間に棒体（３２３）が掛け渡されたひじ掛け部材（３２０，３２０）と、
ひじ掛け部材（３２０）に固定された座板（３１１）にクッション材（３１２）を取り付けた座部（３１０）と、
ひじ掛け部材（３２０）に固定された背凭れ部材（３３０）と、
背凭れ部材（３３０）の前方に存し、ひじ掛け部材（３２０）に対して揺動自在に取り付けられている第二背凭れ部材（３４０）と、
第二背凭れ部材（３４０）の下部に取り付けられた板材（３６０）と、該板材（３６０）に対して揺動自在に取り付けられ、棒体（３２３）に対して係止可能な係止凹部（３６３）を備えたコ字状の枠材（３６２）と、
により成るシート型マッサージ機用椅子（３００）。
【請求項４】
正面側及び背面側に一対存すると共に、後記長孔（４４２ａ）に緩挿される軸（４２３）を備えたひじ掛け部材（４２０）と、
ひじ掛け部材（４２０）に固定されると共に、座板（４１１）の下部後端に座板（４１１）から後方に突出す形態で抑止板（４１３）を設けた座板（４１１）に、クッション材（４１２）を取り付けた座部（４１０）と、
座板（４１１）より後方に且つ座板（４１１）との間に間隙を設けて、ひじ掛け部材に（４２０）に固定された背凭れ部材（４３０）と、
背凭れ部材（４３０）の前方に存し、上下方向に開口する長孔（４４２ａ）を備えた盤材（４４２）を備えることで、上下方向に摺動自在であると共に、ひじ掛け部材（４２０）に対して揺動自在な第二背凭れ部材（４４０）と、
により成るシート型マッサージ機用椅子（４００）。
【請求項５】
正面側及び背面側に一対存すると共に、後部に係止板（５２４）が掛け渡されたひじ掛け部材（５２０）と、
ひじ掛け部材（５２０）に固定された座板（５１１）にクッション材（５１２）を取り付けた座部（５１０）と、
ひじ掛け部材（５２０）に対して揺動自在に取り付けられると共に、回動自在な直方体状の板材（５３１）を備えた背凭れ部材（５３０）と、
背凭れ部材（５３０）の前方に存し、ひじ掛け部材（５２０）に対して固定されている第二背凭れ部材（５４０）と、
により成るシート型マッサージ機用椅子（５００）。
【請求項６】
正面側及び背面側に一対存し、上辺に突起部（６２５）を備え、後部に支持板（６２４）が掛け渡されたひじ掛け部材（６２０）と、
ひじ掛け部材（６２０）に固定された座板（６１１）にクッション材（６１２）を取り付けた座部（６１０）と、
ひじ掛け部材（６２０）に対して揺動自在に取り付けられた背凭れ部材（６３０）と、
背凭れ部材（６３０）の後部に回転自在に取り付けられると共に、突起部（６５１）を備えた操作棒（６５０）と、
背凭れ部材（６３０）の前方に存し、ひじ掛け部材に対して固定されている第二背凭れ部材（６４０）と、
により成るシート型マッサージ機用椅子（６００）。
【考案の詳細な説明】
【技術分野】
【０００１】
本考案は、シート型マッサージ機を取り付け使用することに好適な椅子に関する。
【背景技術】
【０００２】
いわゆるシート型マッサージ機は、椅子やソファに載置して利用するものであり、利用者の首や背中、腰を施療できるようにするため、マッサージ動作部が内蔵されている。
【０００３】
内蔵されたマッサージ動作部はマッサージ装置により駆動されるものであり、モミ動作や叩き動作を行うものである。更には、マッサージ装置が歯車機構やその他のリンク機構により昇降運動を行うことに伴い、マッサージ動作部も上下運動可能に構成されている。
【０００４】
上記のように構成されるシート型マッサージ機は、その運転停止時においてマッサージ動作部が上下運動の範囲の最上部で停止し、当該マッサージ動作部の先端が突出した状態となっていることが通常である。
【０００５】
特許文献１には、マッサージ手段が設けられた背もたれ部に簡便に配置することが可能な当て板部材を設けて、マッサージ手段を使用しないときの座り心地を向上すると共に、マッサージ手段を使用する際、当て板部材を簡単に背もたれ部から取り除くことを可能としたマッサージ椅子が開示されている。
【０００６】
特許文献２には、背凭れ部材の前面にマッサージ機の揉み玉が上下動する開口が設けられてなるマッサージ椅子において、背凭れ部材に対して前面から、上記開口を着脱自在にカバーする背当て部材が設けられたマッサージ椅子が開示されている。
【先行技術文献】
【特許文献】
【０００７】
【特許文献１】特開２００５−１６０８２４号公報
【特許文献２】特開２００１−２１２１９４号公報
【考案の開示】
【考案が解決しようとする課題】
【０００８】
上記のように構成されるシート型マッサージ機は、施療を受ける場合は本格的で多彩な施療を受けることができる。しかし、施療を受けないときには、マッサージ動作部が突出していることや、背中や腰部分を充分に支える構造でないため、背当たり感は良好と云えない。
【０００９】
そこで、シート型マッサージ機を使用しないときは、椅子から退けておくことが望まれる。ところがシート型マッサージ機の重量は、軽量タイプで４キログラム前後、重い機種となると７キログラム程度と、手軽に椅子から退けたりあるいは設置したりすることは困難である。
【００１０】
それゆえ、シート型マッサージ機を椅子やソファに載置したままになることが多く、一人分の席を占領することになる。また、椅子やソファから退けておくにしても、置き場所に相応なスペースが必要で、インテリアの美観上からも望ましいことではない。
【００１１】
しかるに、マッサージを受ける時間は限られていて、椅子を椅子として使用することが圧倒的に長い。それゆえ、シート型マッサージ機を椅子に載置したままで、椅子としての掛け心地・良好な背当たり感が損なわれないことが望まれる。
【００１２】
そこで、本考案はシート型マッサージ機を載置した状態でも、椅子としての掛け心地が損なわれない、シート型マッサージ機用椅子を提供することを目的とする。
【課題を解決するための手段】
【００１３】
上記課題を解決する本考案の構成は、以下の通りである。
【００１４】
（１）  請求項１に記載のシート型マッサージ機用椅子は、正面側及び背面側に一対存するひじ掛け部材と、ひじ掛け部材に固定された座板にクッション材を取り付けた座部と、ひじ掛け部材に固定された背凭れ部材と、背凭れ部材の前方に存し、ひじ掛け部材に対して揺動自在に取り付けられている第二背凭れ部材と、第二背凭れ部材の下部に取り付けられた被押圧部材と、座板に回転自在に取り付けられる棒体であって、被押圧部材を押圧自在な押圧体とハンドル部とを備えたハンドル部材とにより構成した。
【００１５】
（２）  請求項２に記載のシート型マッサージ機用椅子は、正面側及び背面側に一対存するひじ掛け部材と、ひじ掛け部材に固定された座板にクッション材を取り付けた座部と、ひじ掛け部材に対して揺動自在に取り付けられている背凭れ部材と、背凭れ部材の下部に取り付けられた被押圧部材と、背凭れ部材の前方に存し、ひじ掛け部材に対して固定されている第二背凭れ部材と、背凭れ部材の下部に取り付けられた被押圧部材と、座板に回転自在に取り付けられる棒体であって、被押圧部材を押圧自在な押圧体とハンドル部とを備えたハンドル部材とにより構成した。
【００１６】
（３）  請求項３に記載のシート型マッサージ機用椅子は、正面側及び背面側に一対存すると共に、前方の脚部間に棒体が掛け渡されたひじ掛け部材と、ひじ掛け部材に固定された座板にクッション材を取り付けた座部と、ひじ掛け部材に固定された背凭れ部材と、背凭れ部材の前方に存し、ひじ掛け部材に対して揺動自在に取り付けられている第二背凭れ部材と、第二背凭れ部材の下部に取り付けられた板材と、該板材に対して揺動自在に取り付けられ、棒体に対して係止可能な係止凹部を備えたコ字状の枠材とにより構成した。
【００１７】
（４）  請求項４に記載のシート型マッサージ機用椅子は、正面側及び背面側に一対存すると共に後記長孔に緩挿される軸部を備えたひじ掛け部材と、ひじ掛け部材に固定されると共に座板の下部後端に座板から後方に突出す形態で抑止板を設けた座板にクッション材を取り付けた座部と、座板より後方に且つ座板との間に間隙を設けてひじ掛け部材に固定された背凭れ部材と、背凭れ部材の前方に存し、上下方向に開口する長孔を備えた盤材を備えることで、上下方向に摺動自在であると共に、ひじ掛け部材に対して揺動自在な第二背凭れ部材とにより構成した。
【００１８】
（５）  請求項５に記載のシート型マッサージ機用椅子は、正面側及び背面側に一対存すると共に、後部に係止板が掛け渡されたひじ掛け部材と、ひじ掛け部材に固定された座板にクッション材を取り付けた座部と、ひじ掛け部材に対して揺動自在に取り付けられると共に、回動自在な直方体状の板材を備えた背凭れ部材と、背凭れ部材の前方に存し、ひじ掛け部材に対して固定されている第二背凭れ部材とにより構成した。
【００１９】
（６）  請求項６に記載のシート型マッサージ機用椅子は、正面側及び背面側に一対存し、上辺に突起部を備え、後部に板材が掛け渡されたひじ掛け部材と、ひじ掛け部材に固定された座板にクッション材を取り付けた座部と、ひじ掛け部材に対して揺動自在に取り付けられた背凭れ部材と、背凭れ部材の後部に回転自在に取り付けられると共に、突起部を備えた操作棒と、背凭れ部材の前方に存し、ひじ掛け部材に対して固定されている第二背凭れ部材とにより構成した。
【考案の効果】
【００２０】
上記のように構成される本考案が、如何に作用して課題を解決するかを概説する。
【００２１】
本考案に係るシート型マッサージ機用椅子は、いずれも背凭れ部材と背凭れ枠の前方に設けられる第二背凭れ部材を離反した状態で維持することで、両者の間に間隙を設けることが可能に構成してある。そして、この間隙にシート型マッサージ機を装備して使用するものである。
【００２２】
利用者がマッサージを受ける場合には、背凭れ部材を揺動させることで、背凭れ部材をシート型マッサージ機に当接させる。背凭れ部材の背凭れ面には弾性材が張設してあることから、マッサージ動作部の施術を受けることが可能となるのである。
【００２３】
他方で、利用者がマッサージを受けずに椅子として利用する場合は、背凭れ部材を揺動させることで、シート型マッサージ機を構成する突出したマッサージ動作部が利用者の背中に当たらない位置まで移動させれば、良好な背当たり感を得ることが可能となる。つまりは、シート型マッサージ機を椅子に載置したままで、椅子としての掛け心地・良好な背当たり感が損なわれないことになる。
【００２４】
以上の通り本考案によれば、シート型マッサージ機を載置した状態でも、椅子としての掛け心地が損なわれない、シート型マッサージ機用椅子を提供することが可能となるのである。
【図面の簡単な説明】
【００２５】
【図１】第二背凭れ部材を倒した状態の請求項１記載の考案の正面図
【図２】第二背凭れ部材を起こした状態の請求項１記載の考案の正面図
【図３】凭れ部材を起こした状態の請求項２記載の考案の正面図
【図４】凭れ部材を倒した状態の請求項２記載の考案の正面図
【図５】操作機構の概略分解説明図
【図６】第二背凭れ部材を倒した状態の請求項３記載の考案の正面図
【図７】第二背凭れ部材を起こした状態の請求３記載の考案の正面図
【図８】操作機構の概略分解説明図
【図９】第二背凭れ部材を倒した状態の請求項４記載の考案の正面図
【図１０】第二背凭れ部材を起こした状態の請求４記載の考案の正面図
【図１１】背凭れ部材を起こした状態の請求項５記載の考案の正面図
【図１２】背凭れ部材を倒した状態の請求５記載の考案の正面図
【図１３】背凭れ部材を起こした状態の請求項６記載の考案の正面図
【図１４】背凭れ部材を倒した状態の請求項６記載の考案の正面図
【考案を実施するための形態】
【００２６】
一、  以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。なお、各図において説明の便宜上、Ｕは上方を、Ｄは下方を、Ｆは前方を、Ｂは後方を、Ｒは右方を、Ｌは左方を、夫々示している。
【００２７】
二、以下、請求項１記載の考案について詳述する。
【００２８】
図１及び図２は請求項１記載の考案を示すものである。請求項１記載に係るシート型マッサージ機用椅子１００は、ひじ掛け部材１２０、座部１１０、背凭れ部材１３０、第二背凭れ部材１４０及び背凭れ部材１３０と第二背凭れ部材１４０との間に間隙を設けた状態を維持し、或いは間隙を解消するための操作機構とを主な構成要素とする。
【００２９】
図１は請求項１記載の考案の正面図であり、シート型マッサージ機１と第二背凭れ部材１４０が当接して、マッサージが可能な状態を示している。
【００３０】
背もたれ部１３０は、利用者の背中を間接的に受ける部分を構成するものであり、表面を覆う布や革の下に芯材と、芯材の少なくとも正面を覆うマットレスなどのクッション材とを備える。
【００３１】
座部１１０は利用者の臀部を受ける部分を構成するものであり、表面を覆う布や革の下に芯材を備えた座板１１１に、クッション材１１２を載置して構成されるものである。
【００３２】
ひじ掛け部材１２０は図１における正面側と、図示されないが背面側に一対設けられるものであり、その前方及び後方に下方に伸びる脚部１２１，１２２を備えるものである。      
【００３３】
ひじ掛け部材１２０は、利用者の腕を受ける部分を構成するものであり、表面を覆う布や革の下に芯材と、芯材の少なくとも正面を覆うマットレスなどのクッション材とを備える。
【００３４】
座板１１１及び背凭れ部材１３０は、一対のひじ掛け部材１２０，１２０に挟持される形態で固定されるものである。
【００３５】
第二背凭れ部材１４０は、正面側及び図示されない背面側に存する一対の立桟１４３，１４３の上下に、それぞれ横桟１４４，１４４を設けた、略ロ字状を呈する木製フレームであり、伸縮性を備えた布体である弾性材１４１が張設されている。この第二背凭れ部材１４０は、背凭れ部材１３０の前方において、ひじ掛け部材１２０に対して軸１４２を揺動軸として揺動自在に設けてある。軸１４２は、第二背凭れ部材１４０の上部が自重で後方に揺動する位置に設けてある。
【００３６】
第二背凭れ部材１４０の下部に存する横桟１４４には、被押圧部材１５０がネジ１５１によって固定されている。被押圧部材１５０は図５に図示されるように上部から下部に向けて拡開する形状の片材である。むろんこれは一例であり、直方体状等の片材でも構わない。
【００３７】
座板１１１の下部には、棒体１６１が回転自在に取り付けられている。具体的には座板１１１の下部にフランジ１６５がネジ１６４により固定されており、このフランジ１６５に設けた孔部１６５ａに棒体１６１が緩挿されている。
【００３８】
図５に示されるように、この棒体１６１の端部は屈曲されハンドル部１６３が形成される。ハンドル部１６３を操作することで、棒体１６１が回転し、これに伴い棒体１６１に取り付けた押圧体１６２が回転するものである。押圧体１６２は図５に示すように前方が巾広であり後方に向かって巾狭となる片材である。
【００３９】
図１に示すようにハンドル部１６３が前方に位置する状態だと、押圧体１６２と被押圧部材１５０は乖離しており、第二背凭れ部材は自重で上部が後方に揺動する。すると弾性材１４１がシート型マッサージ機１に当接し、しかも第二背凭れ部材１４０には弾性材１４１が張設してあることから、着座者はマッサージ動作部２の施術を受けることが可能となるのである。なお、ひじ掛け部材１２０の側部には軸１２３が突設されており、ハンドル部１６３がこの軸１２３に当接することで、ハンドル部１６３が過度に回転することを抑制するものである。
【００４０】
一方、図２に示すようにハンドル部１６３を後方に回転させると、押圧体１６２が被押圧部材１５０を押圧し、これに伴い第二背凭れ部材１４０の上部は前方に揺動する。するとシート型マッサージ機１と第二背凭れ部材１４０との間には間隙が生じ、つまりはシート型マッサージ機１を構成する突出したマッサージ動作部２が利用者の背中に当たらない状態に至る。すなわち、椅子としての掛け心地が損なわれない状態を、出現させることが可能となるのである。
【００４１】
三、以下、請求項２記載の考案について詳述する。
【００４２】
図３及び図４は請求項２記載の考案を示すものである。請求項２記載に係るシート型マッサージ機用椅子２００は、ひじ掛け部材２２０、座部２１０、背凭れ部材２３０、第二背凭れ部材２４０及び背凭れ部材２３０と第二背凭れ部材２４０との間に間隙を設けた状態を維持し、或いは間隙を解消するための操作機構とを主な構成要素とする。
【００４３】
図３は請求項２記載の考案の正面図であり、シート型マッサージ機１と第二背凭れ部材２４０が当接して、マッサージが可能な状態を示している。
【００４４】
座部２１０は利用者の臀部を受ける部分を構成するものであり、表面を覆う布や革の下に芯材を備えた座板２１１に、クッション材２１２を載置して構成されるものである。
【００４５】
ひじ掛け部材２２０は図３における正面側と、図示されないが背面側に一対設けられるものであり、その前方及び後方に下方に伸びる脚部２２１，２２２を備えるものである。      
【００４６】
ひじ掛け部材２２０は、利用者の腕を受ける部分を構成するものであり、表面を覆う布や革の下に芯材と、芯材の少なくとも正面を覆うマットレスなどのクッション材とを備える。
【００４７】
第二背凭れ部材２４０は正面側及び図示されない背面側に存する一対の立桟２４３，２４３の上部に、横桟２４４を設けた、略コ字状を呈する木製フレームであり、伸縮性を備えた布体である弾性材１４１が張設されている。この第二背凭れ部材２４０は、背凭れ部材２３０の前方に存するものである。
【００４８】
座板２１１及び第二背凭れ部材２４０は、一対のひじ掛け部材２２０，２２０に挟持される形態で固定されるものである。
【００４９】
背もたれ部２３０は、利用者の背中を間接的に受ける部分を構成するものであり、表面を覆う布や革の下に芯材と、芯材の少なくとも正面を覆うマットレスなどのクッション材とを備える。
【００５０】
背凭れ部材２３０はひじ掛け部材２２０に対して軸２３１を揺動軸として揺動自在に設けてある。軸２３１は、背凭れ部材２３０の上部が自重で後方に揺動する位置に設けてある。
【００５１】
背凭れ部材２３０の下部には、被押圧部材１５０がネジ１５１によって固定されている。被押圧部材１５０は図５に図示されるように上部から下部に向けて拡開する形状の片材である。むろんこれは一例であり、直方体状等の片材でも構わない。
【００５２】
座板２１１の下部には、棒体１６１が回転自在に取り付けられている。具体的には座板２１１の下部にフランジ１６５がネジ１６４により固定されており、このフランジ１６５に設けた孔部１６５ａに棒体１６１が緩挿されている。
【００５３】
図５に示されるように、この棒体１６１の端部は屈曲されハンドル部１６３が形成される。ハンドル部１６３を操作することで、棒体１６１が回転し、これに伴い棒体１６１に取り付けた押圧体１６２が回転するものである。押圧体１６２は図５に示すように前方が巾広であり後方に向かって巾狭となる片材である。
【００５４】
図４に示すようにハンドル部１６３が前方に位置する状態だと、押圧体１６２と被押圧部材１５０は乖離しており、背凭れ部材２３０は自重で上部が後方に揺動する。すると弾性材２４１とシート型マッサージ機１との間には間隙が生じ、つまりはシート型マッサージ機１を構成する突出したマッサージ動作部２が利用者の背中に当たらない状態に至る。すなわち、椅子としての掛け心地が損なわれない状態を、出現させることが可能となるのである。なお、ひじ掛け部材２２０の側部には軸２２３が突設されており、ハンドル部１６３がこの軸２２３に当接することで、ハンドル部１６３が過度に回転することを抑制するものである。
【００５５】
一方、図３に示すようにハンドル部１６３を後方に回転させると、押圧体１６２が被押圧部材１５０を押圧し、これに伴い凭れ部材２３０の上部は前方に揺動する。かかる状態では、シート型マッサージ機１と第二背凭れ部材２４０とが当接し、しかも第二背凭れ部材２４０には弾性材２４１が張設してあることから、着座者はマッサージ動作部２の施術を受けることが可能となるのである。
【００５６】
四、以下、請求項３記載の考案について詳述する。
【００５７】
図６及び図７は請求項３記載の考案を示すものである。請求項３記載に係るシート型マッサージ機用椅子３００は、ひじ掛け部材３２０、座部３１０、背凭れ部材３３０、第二背凭れ部材３４０及び背凭れ部材３３０と第二背凭れ部材３４０との間に間隙を設けた状態を維持し、或いは間隙を解消するための操作機構とを主な構成要素とする。
【００５８】
図６は請求項３記載の考案の正面図であり、シート型マッサージ機１と第二背凭れ部材３４０が当接して、マッサージが可能な状態を示している。
【００５９】
背もたれ部３３０は、利用者の背中を間接的に受ける部分を構成するものであり、表面を覆う布や革の下に芯材と、芯材の少なくとも正面を覆うマットレスなどのクッション材とを備える。
【００６０】
座部３１０は利用者の臀部を受ける部分を構成するものであり、表面を覆う布や革の下に芯材を備えた座板３１１に、クッション材３１２を載置して構成されるものである。
【００６１】
ひじ掛け部材３２０は図６における正面側と、図示されないが背面側に一対設けられるものであり、その前方及び後方に下方に伸びる脚部３２１，３２２を備えるものである。      
【００６２】
ひじ掛け部材３２０は、利用者の腕を受ける部分を構成するものであり、表面を覆う布や革の下に芯材と、芯材の少なくとも正面を覆うマットレスなどのクッション材とを備える。
【００６３】
座板３１１及び背凭れ部材３３０は、一対のひじ掛け部材３２０，３２０に挟持される形態で固定されるものである。
【００６４】
第二背凭れ部材３４０は、正面側及び図示されない背面側に存する一対の立桟３４３，３４３の上下に、それぞれ横桟３４４，３４４を設けた、略ロ字状を呈する木製フレームであり、伸縮性を備えた布体である弾性材１４１が張設されている。この第二背凭れ部材３４０は、背凭れ部材３３０の前方において、ひじ掛け部材３２０に対して軸３４２を揺動軸として揺動自在に設けてある。軸３４２は、第二背凭れ部材３４０の上部が自重で後方に揺動する位置に設けてある。
【００６５】
第二背凭れ部材３４０の下部に存する横桟３４４には、図８等に示される板材３６０がネジ３６１により取り付けられている。この板材３６１には略コ字状の枠材３６２が揺動自在に取り付けられている。該枠材３６２の正面側及び背面側の辺部３６２ａ，３６２ａにはそれぞれ係止凹部３６３，３６３が設けられている。この係止凹部３６３は正面側及び背面側に存するひじ掛け部材３２０，３２０の脚部３２１，３２１間に掛け渡された棒体３２３に係脱可能なものである。
【００６６】
図６に示すように係止凹部３６３が棒体３２３に係止されていない状態では、第二背凭れ部材３４０はその上方が後方に揺動する。かかる状態では、シート型マッサージ機１と第二背凭れ部材３４０とが当接し、しかも第二背凭れ部材３４０には弾性材３４１が張設してあることから、着座者はマッサージ動作部２の施術を受けることが可能となるのである。
【００６７】
一方、図７に示すように係止凹部３６３が棒体３２３に係止されている状態では、第二背凭れ部材３４０はその上方が前方に揺動固定される。すると弾性材３４１とシート型マッサージ機１との間には間隙が生じ、つまりはシート型マッサージ機１を構成する突出したマッサージ動作部２が利用者の背中に当たらない状態に至る。すなわち、椅子としての掛け心地が損なわれない状態を、出現させることが可能となるのである。
【００６８】
五、  以下、請求項４記載の考案について詳述する。
【００６９】
図９及び図１０は請求項４記載の考案を示すものである。請求項４記載に係るシート型マッサージ機用椅子４００は、ひじ掛け部材４２０、座部４１０、背凭れ部材４３０、第二背凭れ部材４４０及び背凭れ部材４３０と第二背凭れ部材４４０との間に間隙を設けた状態を維持し、或いは間隙を解消するための操作機構とを主な構成要素とする。
【００７０】
図９は請求項４記載の考案の正面図であり、シート型マッサージ機１と第二背凭れ部材４４０が当接して、マッサージが可能な状態を示している。
【００７１】
背もたれ部材４３０は、利用者の背中を間接的に受ける部分を構成するものであり、表面を覆う布や革の下に芯材と、芯材の少なくとも正面を覆うマットレスなどのクッション材とを備える。背凭れ部材４３０は座板４１１より後方に、且つ、座板４１１との間に間隙を設けてひじ掛け部材４２０に固定されている。この座板４１１と背凭れ部材４３０との間隙に第二背凭れ部材４４０の下端部が嵌まり込んだ状態で、第二背凭れ部材４４０は揺動するものである。
【００７２】
座部４１０は利用者の臀部を受ける部分を構成するものであり、表面を覆う布や革の下に芯材を備えた座板４１１に、クッション材４１２を載置して構成されるものである。座板４１１の下部後端には板材である抑止板４１３が、座板４１１から後方に突出す形態で取り付けてある。
【００７３】
ひじ掛け部材４２０は図９における正面側と、図示されないが背面側に一対設けられるものであり、その前方及び後方に下方に伸びる脚部４２１，４２２を備えるものである。      
【００７４】
ひじ掛け部材４２０は、利用者の腕を受ける部分を構成するものであり、表面を覆う布や革の下に芯材と、芯材の少なくとも正面を覆うマットレスなどのクッション材とを備える。ひじ掛け部材４２０には、第二背凭れ部材４４０が揺動する際の揺動軸となる軸４２３が設けてある。この軸４２３は、第二背凭れ部材４４０の上部が自重で後方に揺動する位置に設けてある。
【００７５】
座板４１１及び背凭れ部材４３０は、一対のひじ掛け部材４２０，４２０に挟持される形態で固定されるものである。
【００７６】
第二背凭れ部材４４０は正面側及び図示されない背面側に存する一対の立桟４４３，４４３の上部に、横桟４４４を設けた、略コ字状を呈する木製フレームであり、伸縮性を備えた布体である弾性材４４１が張設されている。この第二背凭れ部材４４０は、背凭れ部材４３０の前方において、ひじ掛け部材４２０に対して軸４２３を揺動軸として揺動自在に設けてある。具体的には、第二背凭れ部材４４０には、上下方向に開口する長孔４４２ａを備えた盤材４４２が、その正面側と図示されない背面側に取り付けてある。この長孔４４２ａに軸４２３を緩挿することで、第二背凭れ部材４４０は揺動自在、且つ上下方向に摺動自在に形成される。
【００７７】
図１０は第二背凭れ部材４４０を下方に摺動させ、抑止板４１２と背凭れ部材４３０との間隙に第二背凭れ部材４４０の下端を嵌め込ませることで、第二背凭れ部材４４０の上部の後方への揺動を抑止すると共に、第二背凭れ部材４４０とシート型マッサージ機１との間に間隙を設けた状態を示している。かかる状態では、弾性材４４１とシート型マッサージ機１との間には間隙が生じ、つまりはシート型マッサージ機１を構成する突出したマッサージ動作部２が利用者の背中に当たらない状態に至る。すなわち、椅子としての掛け心地が損なわれない状態を、出現させることが可能となるのである。
【００７８】
図９は第二背凭れ部材４４０を上方に摺動させることで、図１０に示される第二背凭れ部材４４０の揺動が抑止された状態が解放された形態を示している。かかる状態では第二背凭れ部材４４０の上方は後方に揺動し、シート型マッサージ機１に当接することになる。そして、第二背凭れ部材４４０には弾性材４４１が張設してあることから、着座者はマッサージ動作部２の施術を受けることが可能となるのである。
【００７９】
六、  以下、請求項５記載の考案について詳述する。
【００８０】
図１１及び図１２は請求項５記載の考案を示すものである。請求項５記載に係るシート型マッサージ機用椅子５００は、ひじ掛け部材５２０、座部５１０、背凭れ部材５３０、第二背凭れ部材５４０及び背凭れ部材５３０と第二背凭れ部材５４０との間に間隙を設けた状態を維持し、或いは間隙を解消するための操作機構とを主な構成要素とする。
【００８１】
図１１は請求項５記載の考案の正面図であり、シート型マッサージ機１と第二背凭れ部材５４０が当接して、マッサージが可能な状態を示している。
【００８２】
座部５１０は利用者の臀部を受ける部分を構成するものであり、表面を覆う布や革の下に芯材を備えた座板５１１に、クッション材５１２を載置して構成されるものである。
【００８３】
ひじ掛け部材５２０は図１１における正面側と、図示されないが背面側に一対設けられるものであり、その前方及び後方に下方に伸びる脚部５２１，５２２を備えるものである。
【００８４】
ひじ掛け部材５２０は、利用者の腕を受ける部分を構成するものであり、表面を覆う布や革の下に芯材と、芯材の少なくとも正面を覆うマットレスなどのクッション材とを備える。ひじ掛け部材５２０，５２０の後部間には板状の係止板５２４が掛け渡されている。この係止板５２４は後述の板材５３１を係止することで、背凭れ部材の上部が前方に揺動した状態を維持できるように構成されている。
【００８５】
第二背凭れ部材５４０は正面側及び図示されない背面側に存する一対の立桟５４３，５４３の上部に、横桟５４４を設けた、略コ字状を呈する木製フレームであり、伸縮性を備えた布体である弾性材５４１が張設されている。この第二背凭れ部材５４０は、背凭れ部材５３０の前方に存するものである。
【００８６】
座板５１１及び第二背凭れ部材５４０は、一対のひじ掛け部材５２０，５２０に挟持される形態で固定されるものである。
【００８７】
背もたれ部５３０は、利用者の背中を間接的に受ける部分を構成するものであり、表面を覆う布や革の下に芯材と、芯材の少なくとも正面を覆うマットレスなどのクッション材とを備える。
【００８８】
背凭れ部材５３０はひじ掛け部材５２０に設けられた軸５２３を揺動軸として、ひじ掛け部材５２０に対して揺動自在に設けられている。軸５２３は背凭れ部材５３０の上部が自重で後方に揺動する位置に設けてある。
【００８９】
また、背凭れ部材５３０の後部には、背凭れ部材５３０に対して軸５３２を中心に回動自在な、直方体状の板材５３１が取り付けられている。
【００９０】
背凭れ部材５３０を前方に揺動させた状態で板材５３１を回転させ、板材５３１の長辺を上下方向に位置せしめることで板材５３１を係止板５２４に係止させると、図１１に示すようにシート型マッサージ機１を第二背凭れ部材５４０に当接させることが可能となる。第二背凭れ部材５４０には弾性材５４１が張設してあることから、着座者はマッサージ動作部２の施術を受けることが可能となるのである。
【００９１】
他方で、図１２に示すように板材５３１を回転させ、板材５３１の短辺を上下方向に位置せしめ、つまり長辺が水平方向に位置せしめると、板材５３１は係止板５２４に係止された状態から解放される。すると背凭れ部材５３０は後方に揺動し、弾性材５４１とシート型マッサージ機１との間には間隙が生じる。つまりはシート型マッサージ機１を構成する突出したマッサージ動作部２が利用者の背中に当たらない状態に至る。すなわち、椅子としての掛け心地が損なわれない状態を、出現させることが可能となるのである。
【００９２】
七、  以下、請求項６記載の考案について詳述する。
【００９３】
図１３及び図１４は請求項６記載の考案を示すものである。請求項６記載に係るシート型マッサージ機用椅子６００は、ひじ掛け部材６２０、座部６１０、背凭れ部材６３０、第二背凭れ部材６４０及び背凭れ部材６３０と第二背凭れ部材６４０との間に間隙を設けた状態を維持し、或いは間隙を解消するための操作機構とを主な構成要素とする。
【００９４】
図１３は請求項６記載の考案の正面図であり、シート型マッサージ機１と第二背凭れ部材６４０が当接して、マッサージが可能な状態を示している。
【００９５】
座部６１０は利用者の臀部を受ける部分を構成するものであり、表面を覆う布や革の下に芯材を備えた座板６１１に、クッション材６１２を載置して構成されるものである。
【００９６】
ひじ掛け部材６２０は図１３における正面側と、図示されないが背面側に一対設けられるものであり、その前方及び後方に下方に伸びる脚部６２１，６２２を備えるものである。
【００９７】
ひじ掛け部材６２０は、利用者の腕を受ける部分を構成するものであり、表面を覆う布や革の下に芯材と、芯材の少なくとも正面を覆うマットレスなどのクッション材とを備える。ひじ掛け部材６２０の上辺には突起部６２５が設けられている。
【００９８】
ひじ掛け部材６２０，６２０の後部間には板状の支持板６２４が掛け渡されている。この支持板６２４は背凭れ部材６３０の後方への揺動を一定範囲で規制するためのものである。
【００９９】
第二背凭れ部材６４０は正面側及び図示されない背面側に存する一対の立桟６４２，６４２の上部に、横桟６４３を設けた、略コ字状を呈する木製フレームであり、伸縮性を備えた布体である弾性材６４１が張設されている。この第二背凭れ部材６４０は、背凭れ部材６３０の前方に存するものである。
【０１００】
座板６１１及び第二背凭れ部材６４０は、一対のひじ掛け部材６２０，６２０に挟持される形態で固定されるものである。
【０１０１】
背もたれ部６３０は、利用者の背中を間接的に受ける部分を構成するものであり、表面を覆う布や革の下に芯材と、芯材の少なくとも正面を覆うマットレスなどのクッション材とを備える。
【０１０２】
背凭れ部材６３０はひじ掛け部材６２０に設けられた軸６２３を揺動軸として、ひじ掛け部材６２０に対して揺動自在に設けられている。軸６２３は背凭れ部材６３０の上部が自重で後方に揺動する位置に設けてある。
【０１０３】
背凭れ部材６３０の後部には屈曲された棒体である操作棒６５０が回転自在に取り付けられている。操作棒６５０は背凭れ部材６３０の後部に取り付けられた取り付け板６３１の孔部６３２に緩挿されることで回転自在に設けられている。
【０１０４】
この操作棒６５０には、ひじ掛け部材に設けた突起部６３５に係止可能な突起部６５１が設けられている。図１３に示すように背凭れ部材６３０の上部を前方に揺動させ操作棒６５０の突起部６５１を、ひじ掛け部材６２０の突起部６２５の前方に係止すれば、シート型マッサージ機１を第二背凭れ部材５４０に当接させることが可能となる。第二背凭れ部材６４０には弾性材６４１が張設してあることから、着座者はマッサージ動作部２の施術を受けることが可能となるのである。
【０１０５】
他方で、図１４に示すように操作棒６５０を上方に回転させ、突起部６３２５と突起部６５１との係止状態を解放すれば、背凭れ部材６３０の上方は後方に揺動する。すると、弾性材６４１とシート型マッサージ機１との間には間隙が生じる。つまりはシート型マッサージ機１を構成する突出したマッサージ動作部２が利用者の背中に当たらない状態に至る。すなわち、椅子としての掛け心地が損なわれない状態を、出現させることが可能となるのである。この際、背凭れ部材６３０の後方への過度の揺動は、ひじ掛け部材６２０，６２０間に掛け渡された支持板６２４に当接することで抑制されるものである。
【符号の説明】
【０１０６】
１００・・マッサージ機用椅子
１１０・・座部
１１１・・座板
１１２・・クッション材
１２０・・ひじ掛け部材
１２１・・脚部
１２２・・脚部
１３０・・背凭れ部材
１４０・・第二背凭れ部材
１４１・・弾性材
１４２・・軸
１４３・・立桟
１４４・・横桟
１５０・・被押圧部材
１５１・・ネジ
１６０・・ハンドル部材
１６１・・棒体
１６２・・押圧体
１６３・・ハンドル部
１６４・・ねじ
２００・・マッサージ機用椅子
２１０・・座部
２１１・・座板
２１２・・クッション材
２２０・・ひじ掛け部材
２２１・・脚部
２２２・・脚部
２３０・・背凭れ部材
２４０・・第二背凭れ部材
２４１・・弾性材
２４２・・軸
２４３・・立桟
２４４・・横桟
３００・・マッサージ機用椅子
３１０・・座部
３１１・・座板
３１２・・クッション材
３２０・・ひじ掛け部材
３２１・・脚部
３２２・・脚部
３２３・・棒体
３３０・・背凭れ部材
３４０・・第二背凭れ部材
３４１・・弾性材
３４２・・軸
３４３・・立桟
３４４・・横桟
３６０・・板材
３６１・・ネジ
３６２・・枠材
３６３・・係止凹部
４００・・マッサージ機用椅子
４１０・・座部
４１１・・座板
４１２・・クッション材
４１３・・抑止板
４２０・・ひじ掛け部材
４２１・・脚部
４２２・・脚部
４２３・・軸
４３０・・背凭れ部材
４４０・・第二背凭れ部材
４４１・・弾性材
４４２・・盤材
４４２ａ・・長孔
４４３・・立桟
４４４・・横桟
５００・・マッサージ機用椅子
５１０・・座部
５１１・・座板
５１２・・クッション材
５２０・・ひじ掛け部材
５２１・・脚部
５２２・・脚部
５２３・・軸
５２４・・係止板
５３０・・背凭れ部材
５３１・・板材
５３２・・軸
５４０・・第二背凭れ部材
５４１・・弾性材
５４２・・軸
５４３・・立桟
５４４・・横桟
６００・・マッサージ機用椅子
６１０・・座部
６１１・・座板
６１２・・クッション材
６２０・・ひじ掛け部材
６２１・・脚部
６２２・・脚部
６２３・・軸
６２４・・支持板
６２５・・突起部
６３０・・背凭れ部材
６３１・・取り付け板
６３２・・孔部
６４０・・第二背凭れ部材
６４１・・弾性材
６４２・・立桟
６４３・・横桟
６５０・・操作棒
６５１・・突起部
【図１】
0003219224.tif 000003
【図２】
0003219224.tif 000004
【図３】
0003219224.tif 000005
【図４】
0003219224.tif 000006
【図５】
0003219224.tif 000007
【図６】
0003219224.tif 000008
【図７】
0003219224.tif 000009
【図８】
0003219224.tif 000010
【図９】
0003219224.tif 000011
【図１０】
0003219224.tif 000012
【図１１】
0003219224.tif 000013
【図１２】
0003219224.tif 000014
【図１３】
0003219224.tif 000015
【図１４】
0003219224.tif 000016